(57)【要約】【課題】とりわけ、いわゆるリセット動作ストームの場合に、すなわち多数のリセット動作が短時間にデータバス上で行われる際に、データバス上のリセット動作の結果として形成された、ネットワーク内の各インターフェースノードに対するセルフＩＤ情報をより効率的に使用できるようにするための、インターフェースノードのネットワークの動作方法およびインターフェース装置を提供することである。【解決手段】前記課題は、別のインターフェースノードによって受信されたセルフＩＤ情報に対して、インターフェースノードのうち少なくとも１つにおいて、結合ヘッダデータおよび結合ＩＤデータを有する結合情報を形成して、該少なくとも１つのインターフェースノード内の記憶装置に記憶することによって解決される。【選択図】図４
2004229301.tif 000002
【特許請求の範囲】
【請求項１】
インターフェースノード（３）のネットワークの動作方法において、
前記インターフェースノード（３）は、たとえばＩＥＥＥ１３９４インタフェースノードであり、
該ネットワークでは、インターフェースノード（３）はデータバス（１）を介して接続されており、
前記インターフェースノード（３）のうち少なくとも１つは、データバス（１）上におけるリセット動作後、その都度、別のインターフェースノード（３）からセルフＩＤ情報を受信し、
各セルフＩＤ情報項目は、セルフＩＤデータを有している形式の方法において、
別のインターフェースノード（３）によって受信されたセルフＩＤ情報に対して、インターフェースノード（３）のうち少なくとも１つにおいて、結合ヘッダデータおよび結合ＩＤデータを有する結合情報を形成して、該少なくとも１つのインターフェースノード（３）内の記憶装置（２３）に記憶することを特徴とする方法。
【請求項２】
各セルフＩＤ情報に対するセルフＩＤデータは、第１のデータワードおよび第２のデータワードを有し、
該第２のデータワードは、該第１のデータワードの補数であり、
該第２のデータワードをインターフェースノード（３）のうち少なくとも１つにおいて、現在の動作モード時に処理し、該第１のデータワードをエラー検査するため、該第２のデータワードを使用し、
該第２のデータワードの検査時にエラーが発見されなかった場合、該第１のデータワードをその都度、結合ＩＤデータへ伝送し、結合情報を形成する、請求項１記載の方法。
【請求項３】
該結合情報を記憶装置（２３）に書き込む処理を完了させた後、該結合情報を書き込む処理の完了に関する情報を、該少なくとも１つのインターフェースノード（３）のためのドライバプログラム（５）へ伝送して、該ドライバプログラム（５）による処理のために、該結合情報を開放する、請求項１または２記載の方法。
【請求項４】
該少なくとも１つのインターフェースノード（３）が、データバス（１）上の別のリセット動作に関する情報を、結合情報が形成される間および／または結合情報が記憶装置（３０）へ書き込まれる間に受信した場合、結合情報の形成および／または記憶装置（３０）への結合情報の書き込みを終了させる、請求項１から３までのいずれか１項記載の方法。
【請求項５】
結合情報を記憶装置（３０）に書き込む際、先行する結合情報を上書きし、
該先行する結合情報は、当該結合情報を書き込む処理以前に少なくとも部分的に記憶装置（３０）に書き込まれた結合情報である、請求項１から４までのいずれか１項記載の方法。
【請求項６】
インターフェース装置（３）であって、
該インターフェース装置（３）はたとえば、ＩＥＥＥ１３９４インターフェースであり、
該インターフェース装置（３）は、データバス（１）に接続されている形式のものにおいて、
送信手段（３４）と、受信手段（３５）と、処理手段（２１）と、書き込み手段とが設けられており、
前記送信手段（３４）はセルフＩＤ情報を、インターフェース装置のネットワーク内にある別のインターフェース装置へ送信し、
前記受信手段（３５）は、データバス（１）上のリセット動作後、各セルフＩＤ情報を、インターフェース装置のネットワーク内にある別のインターフェース装置から受信し、
各セルフＩＤ情報は、セルフＩＤデータを有し、
前記処理手段（２１）は、結合ヘッダデータおよび結合ＩＤデータを有する結合情報を、別のインターフェース装置から受信されたセルフＩＤ情報に基づいて形成し、
前記書き込み手段は、該結合情報を記憶装置（３０）に書き込むように構成されていることを特徴とするインタフェース装置。
【請求項７】
各セルフＩＤ情報内のセルフＩＤデータは、第１のデータワードおよび第２のデータワードを有し、
該第２のデータワードは、該第１のデータワードの補数であり、
前記処理手段（２１）には関連の検査手段（３９）が設けられており、
前記検査手段（３９）は逐次的な動作モード時に、該第１のデータワードをエラー検査するために使用される、請求項６記載のインターフェース装置。
【請求項８】
指示手段（２５）が設けられており、
該指示手段（２５）は、結合情報を記憶装置（３０）に書き込む処理が完了した後、終了情報を形成してドライバプログラム（５）へ伝送するために使用され、ドライバプログラム（５）による処理のために該結合情報が開放されるように構成されている、請求項６または７記載のインターフェース装置。
【請求項９】
割り込み手段（２４）が設けられており、
前記割り込み手段（２４）は、データバス（１）上の別のリセット動作に関する情報が、処理手段（２１）による当該結合情報の形成中に受信された場合、結合情報の形成および／または記憶装置（３０）への結合情報の書き込みに対して割り込むために使用される、請求項６から８までのいずれか１項記載のインターフェース装置。
【発明の詳細な説明】
【技術分野】
【０００１】
本発明は、インターフェースノードのネットワークの動作方法、およびインターフェース装置に関する。該ネットワーク動作方法およびインターフェースノードはとりわけ、ＩＥＥＥ１３９４インターフェースに関連する。
【背景技術】
【０００２】
インターフェースは、電気装置／電子装置と関連して使用され、これによって個々の装置が電子的に通信し、とりわけ電子データを送受信することができる。この電子データは一般的に、装置に接続されたデータバスを介して伝送される。インターフェース構成のために種々の標準規格が存在し、これらは、使用されるデータバスと、データバスに接続されている電気装置／電子装置とに依存する。現在特にますます注目を集めている１つのインターフェース標準規格が、ＩＥＥＥ１３９４標準規格である。ＩＥＥＥ１３９４は、とりわけ任意の型式のマルチメディア装置間におけるデータ交換を支援するのに適した標準規格である。ＩＥＥＥ１３９４標準規格に従って構成されたデータバスは、プリンタ、スキャナ、ＣＤ‐ＲＷドライブおよびハードディスク等のコンピュータの周辺装置にも、ビデオカメラまたはテレビジョン等の家庭用電子装置にも接続することができる。それゆえこの標準規格に対しては、電子装置のデジタル化に多大な影響を与えることが期待されている。
【０００３】
ＩＥＥＥ１３９４標準規格では、電子装置がデータバスに接続された場合、または電子装置がデータバスから接続解除された場合、またはデータバスに接続されているインターフェースノードの数が増加した場合、リセット動作（バスリセット）がデータバス上で実行される。リセット動作がデータバスで実行されると、データバスに接続された各ＩＥＥＥ１３９４インターフェースノードが、セルフＩＤ情報（ＩＤ識別）を別のインターフェースノードへ送信する。こうすることにより、データバスを介して接続されたインターフェースノードのネットワーク内の各インターフェースノードに対し、別のインターフェースノードのうちどれが該ネットワークに接続されているかが確実に伝達される。セルフＩＤ情報は各インターフェースノードによって、自身をネットワーク内の別のインターフェースノードに対して区別するために使用される。別の各インターフェースノードによって受信されたセルフＩＤ情報により、ネットワーク内の各インターフェースノードがいわゆるインターフェースノードリストを形成し、記憶装置に記憶することができる。この記憶装置は、特定のインターフェースノードに所属している。記憶されたこの情報はその後、データバスを介して送受信されるデータパケットの管理のために、各インターフェースノードのためのドライバプログラムによって処理される。
【０００４】
比較的多数のインターフェースノードがデータバスに接続され、各電気装置／電子装置を接続するために使用されると、データバス上でのリセット動作の数が増加してしまう。というのも、装置がデータバスに接続され、データバスから接続解除される頻度が比較的高くなってしまうからである。このような動作それぞれにより、データバス上で特殊なリセット動作が引き起こされる。短時間で行われる多数のリセット動作は「リセット動作ストーム」とも称され、このような動作はたとえば、インターフェースノードのうち１つにおいて発生されたチャタリング接続の結果として引き起こされる。その原因は、チャタリング接続によって、関連する装置が逐次的にインターフェースノードを介して接続および接続解除されることにより、そのたびにリセット動作が開始されてしまうことにある。しかし、コンフィギュレーション段階でルートノードとして設定できない場合、２回またはそれ以上連続してバスリセット動作を開始させるようにプログラミングされた装置も存在する。このような装置がネットワークに配置されている場合、「リセット動作ストーム」が発生するおそれがある。ＩＥＥＥ１３９４標準規格に関しては、データバス上で行われる各リセット動作により、接続されたインターフェースノードのすべてによってセルフＩＤ情報データパケットの伝送が開始されるので、各リセット動作に対して多数のセルフＩＤ情報項目を、各インターフェースノードで受信および記憶しなければならなくなる。
【０００５】
データ伝送制御装置をＩＥＥＥ１３９４標準規格に基づいて動作させるための方法が、ＥＰ１１２０９３６Ａ１から公知である。この公知の方法では、データ伝送制御装置は識別情報を形成し、これによって、受信されたデータパケットおよびその後受信されたデータパケットが、異なるリセット動作がデータバス上で行われた時点で受信されたか否かが検出される。データ伝送制御装置によって受信された各データパケットは、記憶装置で形成された識別情報とともに記憶される。受信および記憶されたデータパケットが逐次的にアクセスされると、識別情報は、どのリセット動作が各データパケットの受信中に実行されたかという情報を提供する。この情報は、データパケットの処理中に使用され、その際にはたとえばファームウェアが使用される。しかし他方では、この公知の方法によって、記憶されるデータの数が増加してしまう。
【０００６】
インターフェースノードのネットワーク中にある各インターフェースノードは関連のメモリに、データバス上で別のインターフェースノードからリセット動作のイベント時に受信されたセルフＩＤ情報を記憶しているので、各インターフェースノードのためのドライバプログラムは順次、記憶されたセルフＩＤ情報にアクセスし、データパケットの送受信中にこのセルフＩＤ情報を考慮することができる。
【０００７】
受信されたセルフＩＤ情報が記憶される際、この場合一般的には、ヘッダデータおよびセルフＩＤデータが各セルフＩＤ情報項目ごとに記憶される。このことは図１に概略的に示されている。図１に示されているように、各セルフＩＤデータ項目は第１のデータワードおよび第２のデータワードを有しており、これらの各データワードは４バイト（quadlets）のデータワード長を有する。第２のデータワードは第１のデータワードの補数であり、目的をチェックするために使用される。
【０００８】
２つまたはそれ以上のリセット動作がデータバス上で短時間に行われると、受信されたセルフＩＤ情報項目の２つまたはそれ以上のグループが、ネットワークのインターフェースノードにある各記憶装置に記憶され、各グループは、データバス上の特定のリセット動作に関連づけられる。しかし一般的には、最後のリセット動作以後に受信されたセルフＩＤ情報だけを、インターフェースノードのためのドライバプログラムによって考慮するだけでよい。記憶されたセルフＩＤ情報を評価するため、ドライバプログラムは、記憶装置に記憶されたセルフＩＤ情報全体を、アドレスの昇順で探索する。しかしこのようにすると、ドライバプログラムは、該セルフＩＤ情報項目が関連のインターフェースノードに対する最後のセルフＩＤ情報ではないことを把握せずに、すべてのセルフＩＤ情報項目を処理してしまう。このようなプロシージャは、計算能力の損失につながってしまう。というのも、各個別のセルフＩＤ情報項目を、ネットワーク中の各インターフェースノードごとに処理しなければならないからである。
【０００９】
択一的にドライバプログラムは、記憶装置内のセルフＩＤ情報をアドレスの降順で探索することもある。しかしこの場合、ドライバプログラムをさらに複雑に設計しなければならなくなる。このように記憶装置全体を探索することで、複雑さがより要求されるようになる。双方の可能なプロシージャは、リセット動作が頻繁にデータバス上で行われると、各インターフェースノードのための記憶装置が多数のセルフＩＤ情報項目によって占有されてしまうという共通の特徴を有する。
【発明の開示】
【発明が解決しようとする課題】
【００１０】
それゆえ本発明の課題は、とりわけ、いわゆるリセット動作ストームの場合に、すなわち多数のリセット動作が短時間にデータバス上で行われる際に、データバス上のリセット動作の結果として形成された、ネットワーク内の各インターフェースノードに対するセルフＩＤ情報をより効率的に使用できるようにするための、インターフェースノードのネットワークの動作方法およびインターフェース装置を提供することである。
【課題を解決するための手段】
【００１１】
前記課題は、別のインターフェースノードによって受信されたセルフＩＤ情報に対して、インターフェースノードのうち少なくとも１つにおいて、結合ヘッダデータおよび結合ＩＤデータを有する結合情報を形成して、該少なくとも１つのインターフェースノード内の記憶装置に記憶することを特徴とする方法と、送信手段によってセルフＩＤ情報が、インターフェース装置のネットワーク内にある別のインターフェース装置へ送信され、受信手段によって、データバス上のリセット動作後、各セルフＩＤ情報が、インターフェース装置のネットワーク内にある別のインターフェース装置から受信され、各セルフＩＤ情報は、セルフＩＤデータを有し、処理手段によって、結合ヘッダデータおよび結合ＩＤデータを有する結合情報が、別のインターフェース装置から受信されたセルフＩＤ情報に基づいて形成され、書き込み手段によって、該結合情報が記憶装置に書き込まれるように構成されていることを特徴とするインタフェース装置とによって解決される。
【発明を実施するための最良の形態】
【００１２】
本発明は、データバス上のリセット動作後にインターフェースノードによって受信されたセルフＩＤ情報項目に対する結合ヘッダデータおよび結合ＩＤデータを有する結合情報を形成し、この結合情報をインターフェースノードの記憶装置に記憶するという思想に基づいている。こうすることにより、受信されたセルフＩＤ情報項目をコンパイルして、この目的のために必要な所要メモリと、該結合情報を関連のインターフェースノードのためのドライバプログラムによって逐次的に処理するために必要な計算能力とに関して最適化された結合情報を形成することができる。この場合最適化は、セルフＩＤデータに関して各セルフＩＤ情報項目に対して実行される。このようにして、関連のインターフェースノードのための記憶装置における所要メモリを低減することができる。結合情報を記憶装置に記憶することにより、関連のインターフェースノードのためのドライバプログラムに対し、可能な限り効率的に、結合情報の処理中にネットワークのその時点のインターフェースノード構成が通知される。
【００１３】
本発明の１つの有利な改善形態により、各セルフＩＤ情報に対する次のようなセルフＩＤデータが供給される。すなわち、第１のデータワードおよび第２のデータワードを有し、該第２のデータワードは該第１のデータワードの補数であり、該第２のデータワードはインターフェースノードのうち少なくとも１つにおいて、逐次的な動作モード中に（オンザフライで）処理されて第１のデータワードをエラー検査するために使用され、該第２のデータワードの検査中にエラーが発見されなかった場合、その都度該第１のデータワードが結合ＩＤデータへ伝送されるように構成されたセルフＩＤデータが供給される。これによって、エラー検査のために使用される、第２のデータワードのための所要メモリを結合情報の記憶時に削減することができる。
【００１４】
インターフェースノードのためのドライバプログラムに対し、可能な限り、ネットワークに接続されたインターフェースノードの構成に関する結合情報の更新を、全く遅延せずに通知するため、本発明の１つの実施形態では、結合情報を記憶装置に書き込む処理が完了すると、結合情報の書き込み処理の完了に関する情報が、前記少なくとも１つのインターフェースノードのためのドライバプログラムへ伝送され、該結合情報が前記ドライバプログラムによる処理のために開放されるように構成されている。
【００１５】
２つまたはそれ以上のリセット動作が、データバス上でインターフェースノードの動作中に短時間に行われると、結合情報の形成および／または先行するリセット動作のための記憶装置への結合情報の書き込みが完了する前に、先行するリセット動作に後続する別のリセット動作と、それに関連するセルフＩＤ情報とが別のインターフェースノードによって受信されるという事態が発生するおそれがある。本発明の１つの改善形態では、結合情報の形成および／または記憶装置への結合情報の書き込みは、前記少なくとも１つのインターフェースノードがデータバス上の別のリセット動作に関する情報を、結合情報が形成される間、および／または結合情報が記憶装置に書き込まれる間に受信すると、終了されるように構成されている。このことにより、計算能力およびメモリが、逐次的なリセット動作の受信後に、もはや最新のものではない先行のリセット動作に関連する結合情報のために使用されることが阻止される。
【００１６】
必要とされる所要メモリを低減するため、本発明の１つの有利な発展形態では、当該結合情報が記憶装置に書き込まれる際、先行する結合情報が上書きされるように構成されている。この先行する結合情報は、当該結合情報の書き込み処理以前に少なくとも部分的に記憶装置に書き込まれた結合情報である。このようにして、逐次的なリセット動作に関する結合情報の書き込み中に、先行するリセット動作に関する結合情報が上書きされ、当該結合情報を記憶するために必要とされる所要メモリが最小になる。
【００１７】
これに相応して、インターフェース装置の独立請求項の発展形態の構成は、該方法に関する独立請求項の関連の構成に関連して言及されている特徴の利点を有する。
【実施例】
【００１８】
図２には、娯楽用電子装置を有するＩＥＥＥ１３９４ネットワークの一例が示されている。参照番号１０はカムコーダを示しており、参照番号１１はＤＶＤプレーヤを示している。参照番号１２は衛星受信器を示しており、参照番号１３はデジタルビデオレコーダを示している。このデジタルビデオレコーダは、図示されているケースではＤＶＨＳレコーダである。参照番号１４はテレビジョンを示している。バスリセット処理後の自己識別データパケット伝送のシーケンスは、ＩＥＥＥ１３９４ネットワークによる標準規格として定められている。図示された構造では、バスはまずカムコーダ１０に対して割り当てられ、その後ＤＶＤプレーヤ１１に割り当てられる。その後、バスは衛星受信器１２に割り当てられ、その後ＤＶＨＳレコーダ１３に割り当てられる。最後に、バスはテレビジョン１４に割り当てられる。ノード識別番号ＮＩＤ０〜ＮＩＤ４を有する各自己識別データパケットの伝送のシーケンスもまた、図２に示されている。
【００１９】
図３には、図２に示されたネットワークの実施例に対する２つまたはそれ以上の逐次的なリセット処理が行われる様子が示されている。すべての自己識別データパケットが、順番に第２のリセット処理ＲＥＳＥＴ１後に伝送されたにもかかわらず、ＤＶＨＳレコーダのためのファームウェアが別のリセット処理ＲＥＳＥＴ２を開始する。しかし、いわゆるサブアクション間隔にわたって待機した後は、これは標準的に実現される。というのも、娯楽用電子装置はルート装置として動作することができないからである。ＤＶＨＳ装置はこの実施例では、別のリセット処理が何の結果もなしに、すなわちリセット処理ＲＥＳＥＴ Ｎ後に実行完了されるまで、前記権利を放棄しない。
【００２０】
図４には、２つまたはそれ以上の装置２が各インターフェースノード３を介してデータバス１に接続されているネットワークが概略的に示されている。この構成により、データパケットがデータバス１を介して送受信される。各インターフェースノード３はＩＥＥＥ１３９４インターフェースノードの形態であり、このインターフェースノードによってとりわけ、装置２が接続／接続解除され、データバス１に接続された装置２間でデータパケットが交換される。インターフェース装置はハードウェア手段４と、該ハードウェア手段４の動作のためのソフトウェア手段５とを有する。ハードウェア手段４はとりわけ、データパケットをデータバス１を介して送受信するために使用される。ソフトウェア手段５はとりわけ、ハードウェア手段４の動作のためのドライバプログラムを有し、これによってインターフェースノード３の機能が供給される。ソフトウェア手段５は典型的には、ＩＥＥＥ１３９４ソフトウェアスタックから構成されている。このソフトウェアスタックは、データ通信のためのＯＳＩ／ＩＳＯ参照モデルによる異なったレイヤのために構成されている。
【００２１】
それぞれ装置２にインストールされているアプリケーションソフトウェア６はインターフェースノード３により、データパケットをデータバス１を介して送受信するために使用される。
【００２２】
ＩＥＥＥ１３９４標準規格によるインターフェースの設計および構成に関する詳細は、当業者には既知であるため、ここでは詳細に説明されない。たとえば、ＩＥＥＥ１３９４インターフェースは、ＯＳＩ／ＩＳＯ参照モデルの２つの下位のレイヤのためのハードウェア手段を有している。これらは、ビット伝送層（物理層）および保護層（データリンク層）である。この標準規格では、これら２つの下位のレイヤ間においてＤＣ分離が定められているので、通常は２つの別個のＩＣがこのために、すなわち物理層ＩＣおよびデータリンク層ＩＣのために使用される。上位のレイヤは、ソフトウェア手段によって構成される。
【００２３】
図５には、図１に示されたネットワーク内の各インターフェースノード３の動作を説明するための概略図が示されている。リセット動作（バスリセット）がデータバス１上で行われると、データバス１に接続されたすべての装置２が、データバス１を介してセルフＩＤ情報を、該データバス１に接続された別の装置２へ送信する。データバス１上で行われるリセット動作は、とりわけ、装置２のうち１つがデータバス１から接続解除されるか、またはデータバス１に接続された場合に開始される。それぞれセルフＩＤ情報を送信する目的は、データバス１に接続されたすべてのインターフェースノード３に対して常に最新で、どのインターフェースノード３がデータバス１に接続されているかを通知することである。こうすることにより、データバス１に接続されたインターフェースノード３へデータパケットを送信し、これらから受信することができる。
【００２４】
図５には、ネットワークインターフェース３のブロック図が示されている。このネットワークインターフェース３には、上記の２つのＩＣ、物理層ＩＣ２０（略してＰＨＹ‐ＩＣ）およびリンク層２５（略してＬＩＮＫ‐ＩＣ）が設けられている。本発明で重要な部分は、ＬＩＮＫ‐ＩＣ２５の中に含まれている。それゆえＰＨＹ‐ＩＣ２０の構造は、以下の明細書で詳細に説明されない。このためには、市販のＰＨＹ‐ＩＣが使用される。ＬＩＮＫ‐ＩＣ２５の構造は、テキサスインスツルメンツの番号ＴＳＢ １２ＬＶ０１Ａを有するＬＩＮＫ‐ＩＣの構造を基礎としている。したがってこの構造の開示に関しては、特にデータシート中の該ＩＣの説明を参照する。ＬＩＮＫ‐ＩＣ２５は、ビット伝送層のためのインターフェース３１（物理層インターフェース）を有する。このＩＣも同様に、外部のアプリケーションプロセッサのためのインターフェース３２を有する。さらに、このＩＣは別のインターフェースを有しており、これはＡＶインターフェース３３として示されている。このインターフェースを介して、オーディオデータおよびビデオデータがアプリケーション処理からＩＣへ伝送される。内部メモリは参照番号３０によって示されており、これは３つの部分に下位分類される。各部分はＦＩＦＯの形態である。これらの部分のうち２つは、データ送信のためのメモリとして使用され、１つの領域だけが、データパケットを受信するために使用される。したがって、送信ユニット３４および受信ユニット３５もＬＩＮＫ‐ＩＣ２５に設けられている。サイクルカウンタ３７も示されており、これは別個のユニットとして設けられている。サイクルカウンタ３７のカウントはその都度、監視回路３８によって監視され、送信すべきデータソースパケットに対するタイムマーカが形成される。さらに、検査回路３９も設けられており、この検査回路３９によってたとえば、バスパケットが受信された場合にＣＲＣコードが評価されるか、バスパケットを送信すべき場合に関連のＣＲＣコードが計算される。またこのＩＣ全体には、構成／状態レジスタ３６が設けられており、これによって、専用のプロセッサを使用せずに該ＩＣを制御することができる。
【００２５】
セルフＩＤ情報データパケットは、インターフェースノード３において受信ユニット３５によって受信される。その後、２つまたはそれ以上のセルフＩＤ情報項目は処理手段２１によって処理される。その際には、各セルフＩＤ情報パケット内のセルフＩＤデータが組み合わされて、結合ヘッダデータおよび結合ＩＤデータを有する結合データが、メモリ３０の相応に確保された領域内に形成される。この場合、各セルフＩＤ情報パケット内のセルフＩＤデータには通常、ヘッダ部だけでなく、第１のデータワードおよび第２のデータワードも含まれている。これらのデータワードはそれぞれ４バイトを有する。第２データワードは第１データワードの補数であり、第１データワードのエラー検査のために使用される。セルフＩＤ情報パケットが処理手段２１によって処理される間、セルフＩＤデータ中の各第２データワードが、逐次的な動作モード中に（オンザフライで）エラー検査するために使用される。第２データワードが検査ユニット３９によって検査された際にエラーが発見されなかった場合、関連の第１データワードが、結合情報中の結合ＩＤデータへ伝送される。
【００２６】
さらに、結合ヘッダデータが処理手段２１によってコンパイルされる。その後、この結合ヘッダデータおよび結合ＩＤデータは結合情報として、ＬＩＮＫ‐ＩＣ２５のための記憶装置３０に書き込まれる。こうすることによって最終的には、結合ヘッダデータおよび結合ＩＤデータを有する大きなパケットが形成される。結合ヘッダデータにはたとえば、該結合情報の有効範囲および長さに関する情報と、該結合ヘッダデータにセルフＩＤデータが後続するという情報とが含まれる（識別子）。
【００２７】
結合情報は、逐次的に形成されて記憶装置２３に書き込まれるか、または少なくとも部分的に、時間的に並列的に形成されて記憶装置２３に書き込まれる。結合情報は常に、各インターフェースノード３から受信され、かつデータバス１上で行われるリセット動作に関連するセルフＩＤ情報に対してコンパイルされる。結合情報の形成中および／または結合情報が記憶装置３０に書き込まれる間に、別のリセット動作がインターフェースノード３から受信されると、当該結合情報を形成／書き込みするために実行されていた処理が終了される。その後、別のリセット動作後に受信されたセルフＩＤ情報が考慮されて、新たな結合情報が処理手段２１によって供給される。結合情報を形成／書き込みするための現在の動作は、ＬＩＮＫ‐ＩＣ２５内の割り込み手段２４によって終了される。結合情報項目が完全に形成され、完全に記憶装置３０に記憶されると、指示手段２６が自動的に電子的な終了情報を形成し、この終了情報はドライバプログラム５へ送信される。完全に記憶された結合情報は、次の処理のためにドライバプログラム５によって開放される。前記終了情報はたとえば、割り込みの形態で形成される。可能な処理中に、ドライバプログラム５は結合ヘッダデータを使用して、とりわけ、この結合ヘッダデータが有効な情報であることを検出する。
【００２８】
図５に示されているように、ＬＩＮＫ‐ＩＣ２５は送信ユニット３４を有する。これを使用することにより、リセット動作がデータバス１上で行われた場合、インターフェースノード３からのセルフＩＤ情報がデータバス１を介して送信される。受信ユニット３５、処理手段２１、記憶装置３０、割り込み手段２４、指示手段２６、送信ユニット３４および検査ユニット３９は、ＬＩＮＫ‐ＩＣ２５内にソフトウェアコンポーネントおよび／またはハードウェアコンポーネントによって具現化される。
【００２９】
図６には、記憶装置３０のためのメモリ編成が概略的に示されている。ここでは、インターフェースノード３から受信されたセルフＩＤ情報が、図４に関連して説明されたように処理されて結合情報が形成され、その後記憶装置３０に書き込まれる。図６に示されているように、記憶装置３０は２つまたはそれ以上のアドレスを有する。結合情報は、アドレスｘから開始して記憶される。結合情報は、４バイトを有する結合ヘッダデータ４０から開始する。結合データ４０には結合ＩＤデータ４１が後続し、この結合ＩＤデータには、インターフェースノード３から受信されたセルフＩＤデータの第１データワードが含まれている。結合ＩＤデータ４１に含まれている各データワードは、関連のインターフェースノードがデータバス１上のリセット動作後に受信したセルフＩＤ情報パケットのうち１つと関連づけられている。図６に示されているように、同様に各セルフＩＤ情報を有する第２データワードを記憶するための規定が設けられていないので、メモリ空間は、図１に示された上記の公知メモリ編成と比較して削減される。
【００３０】
さらに、図６に示されているように、最近のリセット動作に関連する唯一の結合情報項目が、結合ヘッダデータおよび結合ＩＤデータとともに記憶装置３０（図１参照）に記憶される。このデータは処理手段２１によってまとめられ、バスリセットが行われると、受信されたセルフＩＤ情報パケットの第１データワードがその都度、アドレスｘ＋１から開始してメモリ３０に書き込まれる。リセット段階が完了し、かつメモリ３０内のアドレスに書き込まれるまで、結合ヘッダデータ情報は照合されない。結合ヘッダデータ情報は、これがセルフＩＤ情報データであるというステートメントだけでなく、セルフＩＤデータ情報を有する被照合パケットの長さに関するステートメントも含む。図１に示されたメモリ編成とは異なり、現在のリセット動作に関する情報のみが、記憶装置３０において突き止められる。こうすることにより、記憶装置３０における所要メモリがさらに低減され、パフォーマンスが向上される。
【００３１】
インターフェースノードの上記動作方法も、本方法を実施するためのインターフェース装置も、ＩＥＥＥ１３９４標準規格に関連して記載されている。しかし、この動作方法およびインターフェース装置は、ＩＥＥＥ１３９４と類似する構成を備えたインターフェース標準規格であれば、どの所望のインターフェース標準規格と関連しても使用することができる。このようにして、説明された利点を得ることができる。ユーザに関しては、コンピュータ、プリンタ、スキャナ、ＣＤドライブ、ハードディスク等のどの所望の電気装置／電子装置に対しても、ビデオカメラまたはテレビジョン等のどの所望の家庭用電子装置に対しても、本動作方法およびインターフェース装置によってＩＥＥＥ１３９４標準規格または類似の標準規格が改善される。
【図面の簡単な説明】
【００３２】
【図１】公知のメモリ編成を概略的に示した図である。
【００３３】
【図２】異なる娯楽用電子装置を有するＩＥＥＥ１３９４ネットワークの一例を示した図である。
【００３４】
【図３】図２に示されたネットワークのための２つまたはそれ以上の逐次的なバスリセットプロシージャのタイミングを示した図である。
【００３５】
【図４】データバスを介してＩＥＥＥ１３９４インターフェースによってそれぞれ接続された電気装置／電子装置のネットワークを概略的に示した図である。
【００３６】
【図５】インターフェースノードをより詳細に示した概略図である。
【００３７】
【図６】図５に示されたインターフェースノードを使用したメモリ編成を概略的に示した図である。
【符号の説明】
【００３８】
１    データバス
２    装置
３    インターフェースノード
４    ハードウェア手段
５    ソフトウェア手段
６    アプリケーションソフトウェア
２０  物理層ＩＣ
２１  処理手段
２４  割り込み手段
３０  記憶手段
３１  ビット伝送層のためのインターフェース
３２  外部のアプリケーションプロセッサのためのインターフェース
３３  ＡＶインターフェース
３４  送信ユニット
３５  受信ユニット
３６  構成／状態レジスタ
３７  サイクルカウンタ
３８  監視回路
３９  検査回路
４０  結合ヘッダデータ
４１  結合ＩＤデータ
【図１】
2004229301.tif 000003
【図２】
2004229301.tif 000004
【図３】
2004229301.tif 000005
【図４】
2004229301.tif 000006
【図５】
2004229301.tif 000007
【図６】
2004229301.tif 000008